(57)【要約】【課題】ガス化器に被せるだけで使用でき、ガス化器からのガスの流出に支障にならず、人畜が火傷を負う事故の発生を防止でき、ガス化器の耐転倒性を高められる保護カバーを提供する。【解決手段】本体(1)は、複数本のロッド(11)が同一閉鎖線(c)上に間隔を置いてかつ互いに平行に配置され、線材(12)を該複数本のロッドの外面に螺旋状にかつ隣り合う線材(12)間に通気間隙(13)を保って巻着したものとなっている。基盤(2)は閉環状体で、筒部(21)、ストッパー(22)及び鍔部(23)を備え、該本体の一端部に装着される。天蓋(3)は、天板(32)と遮熱板(34)で構成される。該遮熱板は、鍵部(34a)を上面側に備え、外縁(34b)と該線材との間に対流用間隙(D)を残し、該鍵部を介して該本体に装着される。該天板は、通気穴(31)を備え、嵌合部(33)で該本体の他端部外周に嵌合し、該遮熱板に対し該鍵部の高さ分の間隔を保って並設されている。【選択図】  図１
2007075337.tif 000002
【特許請求の範囲】
【請求項１】
本体(1)と、基盤(2)と、天蓋(3)を有し、
該本体(1)は、複数本のロッド(11)が同一閉鎖線(c)上に間隔を置いてかつ互いに平行に配置され、線材(12)を該複数本のロッド(11)の外面に螺旋状にかつ隣り合う線材(12)間に通気間隙(13)を保って巻着したもので、
該基盤(2)は閉環状体で、該本体(1)の一端部を受入れる筒部(21)、該筒部(21)の内面に形成した該本体(1)のストッパー(22)及び該筒部(21)から放射方向外方へ突き出た鍔部(23)を備え、該本体(1)の一端部に、該一端部を該筒部(21)に該ストッパー(22)との当接状態で受入れて、装着され、
該天蓋(3)は、天板(32)と遮熱板(34)で構成され、
該遮熱板(34)は、該本体(1)の他端部に掛かる鍵部(34a)を上面側に備え、外縁(34b)と該線材(12)との間に対流用間隙(D)を残し、該鍵部(34a)を介して該本体(1)に装着され、
該天板(32)は、通気穴(31)を備え、外周縁から屈曲した嵌合部(33)で該本体(1)の他端部外周に嵌合し、該遮熱板(34)に対し該鍵部(34a)の高さ分の間隔を保って並設されている
ことを特徴とする燃焼によるガス化器用保護カバー。
【請求項２】
該遮熱板(34)は、下面に層設された断熱部(34c)を備える請求項１に記載の燃焼によるガス化器用保護カバー。
【請求項３】
該本体(1)と該基盤(2)は該ロッド(11)と該筒部(21)の溶接により一体となっている請求項１又は２に記載の燃焼によるガス化器用保護カバー。
【請求項４】
該本体(1)、該基盤(2)及び該天蓋(3)は何れもステンレスで構成されている請求項１、２又は３に記載の燃焼によるガス化器用保護カバー。
【請求項５】
該基盤(2)は、底面に滑り止め(24)を備えている請求項１、２、３又は４に記載のガス化器用保護カバー。
【発明の詳細な説明】
【技術分野】
【０００１】
本発明は燃焼によるガス化器用保護カバーにかかり、燃焼によるガス化器に被せて使用するもので、ガスの放出には何ら支障が無く、しかも人畜が触れて火傷したり、燃焼によるガス化器が何らかの衝撃で転倒あるい破損してアルコールを含んだオイルが流れ出した際、周辺に火気があった場合に火災を引き起こしたりするのを、未然に防ぐようにしたものである。
【背景技術】
【０００２】
炎の出るランプ用のカバーは種々あるが、炎が風圧を受けて消火してしまうのを防ぐ目的の物が主体となっている。最近の燃焼型芳香器で火炎が出ない型式の物（例えば、特許第３５１６６６５号公報に開示された触媒燃焼フラスコ）にあっては、他の物に着火しないという理由からか、特に安全カバーについて提案された事実を本件出願人は認識していない。
【特許文献１】特許第３５１６６６５号公報
【発明の開示】
【発明が解決しようとする課題】
【０００３】
芳香療法、消臭、殺菌、防虫等の目的に応じたオイルを燃焼させる燃焼型芳香器は、オイルを無炎状態で燃焼させる燃焼部を備えており、病院、老人ホーム、家庭等で広く使用されている。この燃焼部は外周部分が約３５０〜５５０℃で中心部分が６０℃前後で、オイルの燃焼に際し炎が出ない構成となっている。従って、可燃物を燃焼型芳香器の上方にかざしても、この可燃物に延焼するおそれはない。
この燃焼型芳香器は、対流効果を考えると床面に置きたい場合もある。しかしながら、燃焼型芳香器の燃焼部は高温になるため、床面に置くと子供や識別力の衰えた老人等が直接触れて火傷をする危険がある。またこれらの人に加え、視力を失った人などが燃焼型芳香器を転倒させるとオイルが漏れ出し、その場に火気が存在すると燃焼し、火災となる危険性がある。
更に、日本のように地震国にあっては、燃焼型芳香器が地震により転倒する場合があり、火災の危険を防止できない。
【０００４】
本発明は燃焼によるガス化器用保護カバーであって、芳香療法、消臭、殺菌、防虫等の目的に応じたオイル又はそれらの目的に応じた原料を包含したオイルを燃焼させ、ガス化して放出する燃焼によるガス化器に被せるだけで使用でき、燃焼によるガス化器からのガスの流出に支障にならず、人畜が火傷を負う事故の発生を防止でき、更に燃焼によるガス化器の耐転倒性を高められるものを提供することを目的とする。
【課題を解決するための手段】
【０００５】
本発明に係る燃焼によるガス化器用保護カバーは、本体と、基盤と、天蓋を有している。
該本体は、複数本のロッドが同一閉鎖線上に間隔を置いてかつ互いに平行に配置され、線材を該複数本のロッドの外面に螺旋状にかつ隣り合う線材間に通気間隙を保って巻着したものである。
該基盤は環状体で、該本体の一端部を受入れる筒部、該筒部の内面に形成した該本体のストッパー及び該筒部から放射方向外方へ突き出た鍔部を備え、該本体の一端部に、該一
端部を該筒部に該ストッパーとの当接状態で受入れて、装着される。
そして、該天蓋は、通気穴を備えた天板部、該天板部の外周縁から屈曲した嵌合部及び該天板部の中央部分に該天板部と間隔を保って並設された遮熱板を備え、該嵌合部で該本体の他端部外周に嵌合している。
本体の複数本のロッドは、一つの閉鎖線上に間隔を置いて平行に配置される。閉鎖線は円形、楕円形、自由曲線形、一部に凸部のあるものを含む多角形等、種々な形のものを含められる。また、間隔は等間隔でも不等間隔でもよい。線材は任意の断面形状のものを採用できるが、二等辺三角形、正三角形、Ｔ形などとしてその頂点部分をロッドに溶接すると、外面が平坦面となり、取り扱いが容易となる。通気間隙の寸法は、指が入らず、かつガスの流出に支障のない程度が望ましい。
基盤の筒部は、本体の一端部を受け入れるため、本体の外面形状と適合する内面形状を有している。また、ストッパーはこの筒部の内面から筒部の中心方向へ突き出ており、連続環状であったり、不連続環状であったりする。鍔部はカバーの安定性を確保するために効果的で、放射方向外方の突出長は長い方が好ましい。
天蓋は、天板と遮熱板で構成される。遮熱板は、該本体の他端部に掛かる鍵部を上面側に備え、外縁と該線材との間に対流用間隙を残し、該鍵部を介して該本体に装着される。該天板は、通気穴を備え、外周縁から屈曲した嵌合部で該本体の他端部外周に嵌合し、該遮熱板に対し該鍵部の高さ分の間隔を保って並設されている。
【０００６】
該遮熱板は、下面に層設された断熱部を備えていてもよい。
【０００７】
該本体と該基盤は該ロッドと該筒部の溶接により一体となっていてもよい。
【０００８】
該本体、該基盤及び該天蓋は何れもステンレスで構成されていてもよい。
【０００９】
該基盤は、底面に滑り止めを備えていてもよい。
【発明の効果】
【００１０】
本発明によれば、本体と基盤が一体化されているので強固かつ取り扱いが容易である。また、オイルの燃焼で発生したガスの一部は本体上部の通気間隙を通ってカバー外部側方へ流出し、昇流したガスは遮熱板に当たって周方向に拡散し、遮熱板の外周から上方へ流れて天蓋の天板部に開けた通気口を通って上方へ流出する。従って、カバーを囲む外部環境の広範囲にわたって芳香や、薬効等を及ぼすことができる。
また、燃焼によるガス化器に被せるだけで使用でき、遮熱板により人畜が直接に燃焼によるガス化器の燃焼部に触れることもない。一方、ガス化器から放出されたガスは、本体下部の通気間隙から流入する外気により冷却され、更に、遮熱板が、鍵部を介して本体に装着されて本体内部に配置されたガス化器からの熱を本体に分散させるとともに、天板に対し鍵部の高さ分の間隔を保って並設されるため、本体や天板の温度上昇を防止できる。そのため、ガス化器の燃焼部のみならず本体や天板により人畜が火傷を負う事故の発生を防止できる。更にまた、基盤部の形状と重量により耐転倒性が高められているので容易には転倒しない。
なお、本体の直径は、ガス化器に対して必要以上に大きくなると、ガス化器の転倒防止機能を果たすことができなくなる。従って、本体の直径は、被せる対象となるガス化器が保護カバーの内部で横倒れしない程度の大きさとすることが好ましい。
【００１１】
遮熱板が下面に層設された断熱部を備えていると、遮熱板を介して本体に伝導する熱量を低減し、本体や天板の温度上昇をより好適に防止できる。
【００１２】
該本体と該基盤は該ロッドと該筒部の溶接により一体となっていると、本体と基盤が強固に一体となり、外部荷重に対し簡単には変形せず、カバーの役目を全うする。
【００１３】
該本体、該基盤及び該天蓋は何れもステンレスで構成されていると、放出ガスによって腐食したりせず、安定した使用が可能となる。
【００１４】
該基盤が、底面に滑り止めを備えていると、滑らか床面等の滑りやすい場所においても安定した使用が可能となる。
【００１５】
該鍔部の半径は、転倒角が５７〜６０度を保つ寸法となっていると、鍔部により転倒が防止され、安全性が高まる。
【００１６】
該本体及び該基盤の軸方向静荷重の許容値が１．５〜３トンの範囲であると、地震等により梁、柱、置物等が燃焼型芳香器上に落下しても、潰れることなく燃焼型芳香器を保護する。
【発明を実施するための最良の形態】
【００１７】
本発明に係る燃焼によるガス化器用保護カバーは本体１と、基盤２と、天蓋３を有している。
【００１８】
この本体１は、複数本のロッド１１が同一閉鎖線ｃ上に間隔を置いてかつ互いに平行に配置され、線材１２を複数本のロッド１１の外面に螺旋状にかつ隣り合う線材１２間に通気間隙１３を保って巻着したものである。
【００１９】
基盤２は環状体で、本体１の一端部を受入れる筒部２１、この筒部２１の内面に形成した本体１のストッパー２２及び筒部２１から放射方向外方へ突き出た鍔部２３を備え、本体１の一端部に、この一端部を筒部２１にストッパー２２との当接状態で受入れて、装着される。
【００２０】
天蓋３は、天板３２と遮熱板３４で構成される。
図４〜６に示すように、遮熱板３４は、本体の他端部に掛かる鍵部３４ａを上面側に備え、外縁３４ｂと線材１２との間に対流用間隙Ｄを残し、鍵部３４ａを介して本体１に装着されている。なお、図５において、１２ａは、線材１２の平面視における内面側輪郭線を示す。
鍵部３４ａは、円板の外縁に周方向９０度間隔で設けた突出部を鍵状に折り曲げて形成されたものとなっている。ただし、この鍵部３４ａは、遮熱板３４の上面側に形成されるものであれば、その形状に制限はなく、本体１の形状に適合するその他の形状としてもよい。
天板３２は、通気穴３１を備え、外周縁から屈曲した嵌合部３３で本体１の他端部外周に嵌合し、遮熱板３４に対し鍵部の高さ分の間隔を保って並設されている。なお、通気孔３１は使用者の好みに応じた形状とすることができる。
【００２１】
このカバーは環状体の基盤２を燃焼によるガス化器の頂部を囲むようにして燃焼によるガス化器に沿って降ろしてゆく。基盤２が床面やテーブル面等に当接したら、本体１の上端部に天蓋３を嵌め込む。天蓋３を予め本体１の一端部に嵌合又は嵌着しておき、これらを一体として燃焼によるガス化器に被せるようにしてもよい。
【００２２】
燃焼によるガス化器の燃焼部から放出されるガスの一部は本体１上部の線材１２間の通気間隙１３を通って本体１を囲む環境に流出し、上方へ出たガスは遮熱板３４に当たってこの遮熱板の外周へ向かって流れ、その一部は通気間隙１３を通って、その他は周縁から上方へ出て、天板部３２の通気穴３１を通って上方の大気中へ流出する。従って、燃焼によるガス化器が床面に置かれていれば、ガスは対流により燃焼によるガス化器を中心に広範囲にわたって浸透し、芳香や殺菌等、ガスの有する作用を及ぼすことになる。
【００２３】
外力は燃焼によるガス化器に直接的に作用することはないので、燃焼によるガス化器が転倒したり、破壊したりすることはない。また、ガス化器から放出されたガスは、本体下部の通気間隙から流入する外気により冷却され、更に、遮熱板が、鍵部を介して本体に装着されて本体内部に配置されたガス化器からの熱を本体に分散させるとともに、天板に対し鍵部の高さ分の間隔を保って並設されるため、本体や天板の温度上昇を防止できる。そのため、人畜が、ガス化器の燃焼部に直接触れることの他、本体や天板により火傷をするおそれはない。
【００２４】
遮熱板は、下面に層設された断熱部を備えている。
この場合、遮熱板を介して本体に伝導する熱量を低減し、本体や天板の温度上昇をより好適に防止できる。
【００２５】
本体１と基盤２はロッド１１と筒部２１の溶接により一体となっている。  
この場合、本体１と基盤２が強固に一体となり、外部荷重に対し簡単には変形せず、カバーの役目を全うする。
【００２６】
本体１、基盤２及び天蓋３は何れもステンレスで構成されている。
こうすると、本体と基盤が強固に一体となり、外部荷重に対し簡単には変形せず、カバーの役目を全うする。
【００２７】
基盤２は、底面に滑り止め２４を備えている。
こうすると、滑らか床面等の滑りやすい場所においても安定した使用が可能となる。なお、滑り止め２４は、例えば、発泡樹脂、ゴム又は発泡ゴム等の薄い板材を鍔部２３と同じ形状に切り抜いたものを、鍔部２３の裏面に貼り着けることで形成することができる。
【実施例】
【００２８】
鍔部２３の外径が２００ｍｍ、本体１の外径（線材１２外面の最も長い間隔）が１３６ｍｍ、全高（基盤接地面から天板上面までの距離）が１８０ｍｍ、重量が１２００ｇの保護カバーを製作し、まず、図７に示す転倒角テストを行った。この転倒角テストでは、正確な角度を得るため、ポジショナーにより水平から徐々に角度を上げ、転倒する値を測定した。なお、試験対象である保護カバーは、転倒方向から見て角状に近いため、転倒抵抗が滑り摩擦よりも大きくなる。そこで、傾斜させた際に下側となる鍔部２３の縁に当接する、高さ３ｍｍの突起部Ｓを設けて滑りを防止した。
この転倒角テストの結果、転倒角は５７度となり、高い耐転倒性を備えることが確認できた。なお、この保護カバーの理論座屈荷重は、およそ６．７トン、安全率を４とした場合の静荷重の許容値は約１．７トンとなり、地震等の際に、梁、柱、置物等の落下物から燃焼によるガス化器を保護するという観点からも有効である。
【００２９】
次に、セラミックファイバーの断熱部をステンレス板の下面に層設して形成した遮熱板について、直径及び断熱部厚みを変えた４種類の構成の遮熱効果確認テストを行った。表１に、断熱効果確認テストを行った４種類の構成を示す。なお、いずれの構成においても、ステンレス板の厚みは０．５ｍｍとし、上記転倒角テストに用いた保護カバーに取り付けた場合の遮熱効果を確認した。
【表１】
2007075337.tif 000003
【００３０】
図８〜１０に、遮熱効果確認テストの結果を示す。図８は天板中央部における上昇後到達温度の室温に対する推移を示すグラフ、図９は本体上部における上昇後到達温度の室温に対する推移を示すグラフ、図１０は遮熱板上面における上昇後到達温度の室温に対する推移を示すグラフであり、いずれのグラフも、縦軸が測定を行った部位の温度、横軸が室温である。なお、測定の結果得られた温度には幅があったため、各グラフとも、縦軸方向に幅を有するものとなっている。
【００３１】
この結果、断熱部は極めて高い遮熱効果を有することが確認できた。そして、各部位の上昇後到達温度は室温に大きく影響されるものの、この保護カバーの使用が想定される常識的な最高室温（３２度）でも、断熱部を設けることにより、人畜が火傷を負うに至らない程度まで温度上昇を抑えられることが確認できた。
また、遮熱板の直径を大きくすること及び断熱部の厚さを増すことにより天板の温度上昇が抑えられることが確認できた。なお、直径を大きくすると、本体上部の温度が上昇することになるが、本体は体積が大きいため、その到達最高温度は天板よりも低くなる。そのため、天板と本体の両者を総合すると、直径を大きくし、断熱部の厚さを増した場合には全体としての到達最高温度を低く抑えることができ、好ましい。そして、上記遮熱効果確認テストにおける実施形態では、構成ａが好ましい。
【図面の簡単な説明】
【００３２】
【図１】本発明に係る燃焼によるガス化器用保護カバーの具体例を示す正面図である。
【図２】平面図である。
【図３】図１のＡ−Ａ線断面図である。
【図４】図３のＢ部拡大図である。
【図５】遮熱板の平面図である。
【図６】遮熱板の正断面図である。
【図７】転倒角テストの概略を示す図である。
【図８】本発明に係る燃焼によるガス化器用保護カバーの遮熱効果確認テストの結果で、天板中央部における上昇後到達温度の室温に対する推移を示すグラフである。
【図９】同本体上部における上昇後到達温度の室温に対する推移を示すグラフである。
【図１０】同遮熱板上面における上昇後到達温度の室温に対する推移を示すグラフである。
【符号の説明】
【００３３】
１    本体
２    基盤
３    天蓋
１１  ロッド
ｃ    閉鎖線
１２  線材
１３  通気間隙
２１  筒部
２２  ストッパー
２３  鍔部
２４  滑り止め
３１  通気穴
３２  天板部
３３  嵌合部
３４  遮熱板
ｒ    半径
θ    転倒角
【図１】
2007075337.tif 000004
【図２】
2007075337.tif 000005
【図３】
2007075337.tif 000006
【図４】
2007075337.tif 000007
【図５】
2007075337.tif 000008
【図６】
2007075337.tif 000009
【図７】
2007075337.tif 000010
【図８】
2007075337.tif 000011
【図９】
2007075337.tif 000012
【図１０】
2007075337.tif 000013